(57)【要約】【課題】リング径の拡張を充分に行うことができて身体への装着性が良好であり，しかも装着後は，所望のリング径に縮小させることも可能にしたリング状装身具のリング径可変装置を提供する。【解決手段】リング状装身具１の一端と他端との間に接続されて該リング状装身具１のリング径を可変にする，リング状装身具のリング径可変装置において，リング状装身具１の一端と接続されるケーシング３と，このケーシング３内に回転自在に収容されるリール４と，このリール４に巻き取られ外端がケーシング３外へ引き出されてリング状装身具１の他端と接続される調節紐５と，リール４を調節紐５の巻き取り方向Ａに付勢すべくケーシング３に収容されるゼンマイばね６と，非操作状態ではリール４の巻き取り方向Ａの回転を阻止し，操作状態ではリール４を解放するロック機構７とを備える。【選択図】      図５
2013118891.tif 000002
【特許請求の範囲】
【請求項１】
リング状装身具（１）の一端と他端との間に接続されて該リング状装身具（１）のリング径を可変にする，リング状装身具のリング径可変装置において，
前記リング状装身具（１）の一端と接続されるケーシング（３）と，このケーシング（３）内に回転自在に収容されるリール（４）と，このリール（４）に巻き取られ外端が前記ケーシング（３）外へ引き出されて前記リング状装身具（１）の他端と接続される調節紐（５）と，前記リール（４）を前記調節紐（５）の巻き取り方向（Ａ）に付勢すべく前記ケーシング（３）に収容されるゼンマイばね（６）と，非操作状態では前記リール（４）の少なくとも巻き取り方向（Ａ）の回転を阻止し，操作状態では前記リール（４）を解放するロック機構（７）とを備えることを特徴とする，リング状装身具のリング径可変装置。
【請求項２】
請求項１記載のリング状装身具のリング径可変装置において，
前記ロック機構（７）を，その非操作状態でも前記リール（４）の前記調節紐（５）の引き出し方向（Ｂ）の回転を許容するようラチェット機構で構成したことを特徴とする，リング状装身具のリング径可変装置。
【請求項３】
請求項１又は２記載のリング状装身具のリング径可変装置において，
前記リール（４）の外周には前記調節紐（５）を巻き取る環状の巻き取り溝（１３）を，またその一側面には，前記巻き取り溝（１３）に囲繞されるように配置されて前記ゼンマイばね（６）を収容する円形のばね収容凹部（８）をそれぞれ設けたことを特徴とする，リング状装身具のリング径可変装置。
【請求項４】
請求項１〜３の何れかに記載のリング状装身具のリング径可変装置において，
前記調節紐を帯状チェーン（５）で構成し，この帯状チェーン（５）の外端と前記リング状装身具（１）の他端との間をボールチェーン（５）を介して接続したことを特徴とする，リング状装身具のリング径可変装置。
【発明の詳細な説明】
【技術分野】
【０００１】
本発明は，ネックレス，ブレスレット等のリング状装身具の一端と他端との間に接続されて該リング状装身具のリング径を可変にする，リング状装身具のリング径可変装置の改良に関する。
【背景技術】
【０００２】
リング状装身具の多くは，身体への装着及び取り外しを可能にするジョイントを備えているが，そのジョイントの分離及び接続操作は極めて面倒なものである。そこで，リング状装身具のリング径を可変にして，身体への装着時には，そのリング径を拡大させて装着を容易にし，装着後は，そのリング径を通常通りに戻すようにした，リング状装身具のリング径可変装置が例えば特許文献１に開示されているように，既に提案されている。
【先行技術文献】
【特許文献】
【０００３】
【特許文献１】特開２００１−２５２１１３号公報
【発明の概要】
【発明が解決しようとする課題】
【０００４】
しかしながら，従来のリング状装身具のリング径可変装置は，リング状装身具の途中に，コイルばねを用いて収縮付勢するようにした伸縮機構を介装したものであり，こうしたものは，コイルばねを使用するため，リング径の拡大が充分に得られず，身体への装着に困難を来すことがあり，また装着後のリング状装身具は，一定のリング径に戻るので，装着状態でのリング径の調節を行うことはできない。
【０００５】
本発明は，かゝる事情に鑑みてなされたもので，リング径の拡大を充分に行うことができて身体への装着性が良好であり，しかも装着後は，所望のリング径に縮小させることも可能にしたリング状装身具のリング径可変装置を提供することを目的とする。
【課題を解決するための手段】
【０００６】
上記目的を達成するために，本発明は，リング状装身具の一端と他端との間に接続されて該リング状装身具のリング径を可変にする，リング状装身具のリング径可変装置において，前記リング状装身具の一端と接続されるケーシングと，このケーシング内に回転自在に収容されるリールと，このリールに巻き取られ外端が前記ケーシング外へ引き出されて前記リング状装身具の他端と接続される調節紐と，前記リールを前記調節紐の巻き取り方向に付勢すべく前記ケーシングに収容されるゼンマイばねと，非操作状態では前記リールの少なくとも巻き取り方向の回転を阻止し，操作状態では前記リールを解放するロック機構とを備えることを第１の特徴とする。尚，前記リング状装身具は，後述する本発明の実施形態中のネックレス１に対応する。
【０００７】
また本発明は，第１の特徴に加えて，前記ロック機構を，その非操作状態でも前記リールの前記調節紐の引き出し方向の回転を許容するようラチェット機構で構成したことを第２の特徴とする。
【０００８】
さらに本発明は，第１又は第２の特徴に加えて，前記リールの外周には前記調節紐を巻き取る環状の巻き取り溝を，またその一側面には，前記巻き取り溝に囲繞されるように配置されて前記ゼンマイばねを収容する円形のばね収容凹部をそれぞれ設けたことを第３の特徴とする。
【０００９】
さらにまた本発明は，第１〜第３の特徴の何れかに加えて，前記調節紐を帯状チェーンで構成し，この帯状チェーンの外端と前記リング状装身具の他端との間をボールチェーンを介して接続したことを第４の特徴とする。
【発明の効果】
【００１０】
本発明の第１の特徴によれば，リール，調節紐，ゼンマイばね及びロック機構よりなるリング径可変装置によって，充分に長い調節紐の使用が可能となり，リング状装身具のリング径を大幅に調節して，身体への装着及び取り外しを容易に行うことができ，しかもリング状装身具のリング径を使用者自身の体格や服装に適した希望の径に縮小調節することができので，一本のリング状装身具をもって種々の使用態様を楽しむことができる。
【００１１】
本発明の第２の特徴によれば，リング状装身具のリング径を拡大させる際には，ロック機構を操作しなくても，調節紐をケーシングから引き出すことができ，リング径の拡大操作を容易に行うことができる。
【００１２】
本発明の第３の特徴によれば，巻き取り溝に巻き取られた調節紐とばね収容凹部に収容されるゼンマイばねとを同心状に配置することができ，リールの軸方向幅の短縮化，延いてはロック機構のコンパクト化を図ることができる。
【００１３】
本発明の第４の特徴によれば，調節紐を帯状チェーンで構成したことで，その一部がケーシング外に露出しても，それは装飾チェーンとして機能し，リング状装身具の外観を良好に保つことができる。
【００１４】
また帯状チェーンは，リールの巻き取り溝に捩じれることなく整然と巻き取らせることが可能である。しかも帯状チェーンは，ボールチェーンを介してリング状装身具に接続されるので，帯状チェーンの捩じれは，ボールチェーンの回転作用により回避されることになり，リールによる帯状チェーンの巻き取りを一層整然と行うことができ，帯状チェーンの耐久性向上に寄与し得る。
【図面の簡単な説明】
【００１５】
【図１】本発明のリング径可変装置を備えたネックレスを，使用者への装着状態で示す正面図。
【図２】上記ネックレスの使用者への装着過程を示す，図１との対応図。
【図３】上記リング径可変装置の拡大正面図。
【図４】図３の４−４線断面図。
【図５】図４の５−５線断面図。
【図６】図４の６−６線断面図。
【図７】上記リング径可変装置におけるロック機構の解除状態を示す，図５との対応図。
【発明を実施するための形態】
【００１６】
本発明の実施の形態を添付図面に基づいて以下に説明する。
【００１７】
先ず，図１〜図３において，リング状装身具としてのネックレス１は，その一端と他端とに第１接続環１ａと第２接続環１ｂとが設けられ，これら第１及び第２接続環１ａ，１ｂ間に，ネックレス１のリング径を調節し得るリング径可変装置２が接続される。
【００１８】
図４〜図６に示すように，リング径可変装置２は，ケーシング３，このケーシング３に収容されるリール４，このリール４に巻き取られる調節紐５，リール４を調節紐５の巻き取り方向に回転付勢するゼンマイばね６，リール４の回転をロックし得るロック機構７とよりなっている。以下，調節紐５の巻き取りのためのリール４の回転方向を巻き取り方向Ａ，それと反対の回転方向を引き出し方向Ｂという。
【００１９】
前記ケーシング３は，上面を開放したケーシング本体３ａと，このケーシング本体３ａに，その開放面を閉鎖するカバー３ｂとで構成される。ケーシング本体３ａには複数の連結ピン１０が突設され，これら連結ピン１０をカバー３ｂの複数の連結孔１１にそれぞれ圧入することによりカバー３ｂはケーシング本体３ａに固定される。
【００２０】
カバー３ｂの中心部には，ケーシング本体３ａの内側面の軸受孔１７に先端部を嵌合して支持させる枢軸１２が形成され，この枢軸１２によって前記リール４が回転自在に支承される。このリール４は，外周面に環状の巻き取り溝１３と，この巻き取り溝１３を挟んで軸方向に並ぶ一対のギヤ１４とを備えており，その巻き取り溝１３には，その溝底の係止ピン２１に内端を係止した調節紐５が巻装され，その外端は，ケーシング本体３ａの周壁に設けられた引き出し口９より引き出され，その引き出し口９より大きき接続環５ａが取り付けられる。調節紐５は，望ましくは帯状チェーン，例えば図示例のようなマンテルチェーンで構成される。
【００２１】
またリール４の，カバー３ｂに対向する一側面には，環状の前記巻き取り溝１３に同心状で囲繞されるように配置される円形のばね収容凹部８が形成され，このばね収容凹部８に前記ゼンマイばね６が収容される。このゼンマイばね６は，リール４の巻き取り方向Ａへ回転付勢するもので，その内端部が前記枢軸１２に隣接してカバー３ｂに形成される係止突起１５に係止され，その外端はリール４に形成される係止ピン１６に係止される。
【００２２】
前記ロック機構７は，リール４の外周に形成される前記ギヤ１４と，ケーシング３にピボット軸１８を介して支持され，ギヤ１４に係合してリール４の回転を阻止するロックレバー１９とを備える。前記ピボット軸１８は，前記引き出し口９と反対側でケーシング本体３ａの内壁に突設される。上記ロックレバー１９は，ピボット軸１８に支承される基部１９ａと，この基部１９ａから分岐して突出する第１アーム１９ｂ及び第２アーム１９ｃよりなっている。その第１アーム１９ｂは，前記ギヤ１４に係合し得る爪部２０を形成した先端部を基部１９ａよりリール４の引き出し方向Ｂへ指向させるように配置される。
【００２３】
第２アーム１９ｃは，ケーシング本体３ａの内周壁に凹設される機構室２２に臨むように配置される。機構室２２において，ケーシング本体３ａと第２アーム１９ｃの一側面との間にロックばね２３が縮設され，このロックばね２３には，第２アーム１９ｃを押圧してロックレバー１９の爪部２０をギヤ１４に係合させるセット荷重が付与される。またケーシング本体３ａの側壁には，これを貫通して機構室２２に開口するガイド孔２７が設けられ，このガイド孔２７には，第２アーム１９ｃの他側面に先端部を当接させるプッシュ操作軸２４が摺動自在に嵌装される。このプッシュ操作軸２４には，その軸方向に延びる長孔２５が設けられ，この長孔２５を貫通してプッシュ操作軸２４のプッシュ操作を可能にしながら，その抜け止めを行うストッパピン２６がケーシング本体３ａに圧入，固定される。プッシュ操作軸２４は，その外端にプッシュ用のノブ２４ａを備える。
【００２４】
而して，第１アーム１９ｂは，その爪部２０をロックばね２３の付勢力によりギヤ１４に係合させているとき，リール４が巻き取り方向Ａに回転しようとすると，爪部２０の外側面２０ａがギヤ１４の歯面と面接触して，爪部２０はギヤ１４との係合力を強めることで，リール４の巻き取り方向Ａの回転を阻止するが，リール４が引き出し方向Ｂへ回転しようとすると，爪部２０の，基部１９ａ側の内側面２０ｂがギヤ１４の歯先により押し出されることで，ロックレバー１９がロックばね２３の付勢力に抗してギヤ１４から離脱する方向へ回動して（図５鎖線示参照），リール４の引き出し方向Ｂへの回転を許容するようになっている。即ち，ロック機構７は，リール４の巻き取り方向Ａへの回転を阻止し，引き出し方向Ｂの回転を許容するラチェット機構を構成する。しかしながら，プッシュ操作軸２４のノブ２４ａを，図７に示すようにプッシュすれば，ロックレバー１９をロックばね２３の付勢力に抗してギヤ１４からの離脱方向へ強制的に揺動させ，リール４の巻き取り方向Ａへの回転をも許容することができる。
【００２５】
ケーシング本体３ａには，前記機構室２２を外部に開放する開口部２８と，この開口部２８の内側で接続ピン２９が形成され，ネックレス１の第１接続環１ａが開口部２８を通して接続ピン２９に接続される。
【００２６】
一方，前記引き出し口９から引き出された調節紐５の外端の接続環５ａとネックレス１の第２接続環１ｂとの間にボールチェーン３０が接続される。こうして，ネックレス１の両端部は，リング径可変装置２を介してリング状に接続される。
【００２７】
次に，この実施形態の作用について説明する。
【００２８】
ネックレス１の装着に際しては，使用者Ｕは，一方の手でケーシング３を保持し，他方の手で調節紐５を摘んで，図２に示すようにケーシング３から引く出すると，それに伴ないケーシング３内のリール４が引き出し方向Ｂへ回転する。このとき，ロックレバー１９は，ロックばね２３のセット荷重により爪部２０をギヤ１４に係合させるように付勢されているが，リール４が引き出し方向Ｂへの回転力により，ギヤ１４の歯先が爪部２０の内側面２０ｂを押し出すので，ロックレバー１９は，ロックばね２３の付勢力に抗してギヤ１４から離脱するように自動的に揺動し，リール４の引き出し方向Ｂへの回転を許容する。こうして，調節紐５の引き出しに応じてリール４が引き出し方向Ｂへ回転すると，リール４内ではゼンマイばね６が巻き込まれていき，リール４に対する巻き取り方向Ａへの反発力を強めていく。
【００２９】
調節紐５の引き出しにより，ネックレス１のリング径が使用者の頭部の直径以上に拡大したところで，調節紐５の引き出しを止めれば，ロックレバー１９がロックばね２３の付勢力をもって爪部２０をギヤ１４に係合させるように揺動し，爪部２０がギヤ１４に深く係合することで，，ゼンマイばね６の反発力によるリール４の巻き取り方向Ａへの回転を阻止する。したがって，プッシュ操作軸２４をプッシュしない限り，ネックレス１のリング径の拡大状態を維持することができる。そこで，使用者Ｕは，このネックレス１を頭部Ｈから首部Ｎへと容易に装着することができ，したがってネックレス１の装着過程で，リング径が突然縮小してその装着を困難にする心配はない。
【００３０】
このネックレス１の首部Ｎへの装着後，一方の手でケーシング３を保持し，他方の手でプッシュ操作軸２４のノブ２４ａをプッシュすると，ロックレバー１９は，ロックばね２３の付勢力に抗して揺動して爪部２０をギヤ１４から離脱させるので，リール４は，ゼンマイばね６の拡張しようとする反発力により巻き取り方向Ａへと自動的に回転を始め，調節紐５を巻き込んでいくので，ネックレス１のリング径が縮小していく。
【００３１】
ネックレス１のリング径が使用者Ｕの希望する径になったところで，プッシュ操作軸２４に対するプッシュ操作を止めれば，ロックレバー１９は，再びロックばね２３の付勢力で揺動して爪部２０をギヤ１４に係合させるので，リール４の巻き取り方向Ａへの回転を自動的に停止させることができる。
【００３２】
尚，ネックレス１の最小径は，調節紐５の外端の接続環５ａがケーシング３の引き出し口９の周縁に当接することで規制される。
【００３３】
ネックレス１を首部Ｎから外す際には，上記と同様の要領で調節紐５を適当長さ引き出して，ネックレス１のリング径を拡大させれば，頭部Ｈに邪魔されることなく，ネックレス１を外すことができる。
【００３４】
かくして，リール４，調節紐５，ゼンマイばね６及びロック機構７よりなるリング径可変装置２によって，充分に長い調節紐５の使用が可能となり，ネックレス１のリング径を大幅に調節して，首部Ｎへの装着，取り外しを容易に行うことができ，しかもネックレス１のリング径を使用者Ｕ自身の体格や服装に適した希望の径に縮小調節することができので，一本のネックレス１をもって種々の使用態様を楽しむことができる。
【００３５】
ところで，ロック機構７のリール４の外周面には，環状の巻き取り溝１３が，またその一側面には，巻き取り溝１３に同心状で囲繞される円形のばね収容凹部８がそれぞれ形成されるので，巻き取り溝１３に巻き取られた調節紐５とばね収容凹部８に収容されるゼンマイばね６とを同心状に配置することができ，リール４の軸方向幅の短縮化，延いてはロック機構７のコンパクト化を図ることができる。
【００３６】
またリール４の巻き取り溝１３に巻き取られる調節紐を帯状チェーン５で構成すれば，その一部がネックレス１の装着状態でケーシング３外に露出しても，それは装飾チェーンとして機能し，ネックレス１の外観を良好に保つことができる。
【００３７】
しかも帯状チェーン５は，リール４の巻き取り溝１３に捩じれることなく整然と巻き取らせることが可能である。その際，特に，帯状チェーン５は，ボールチェーン３０を介してネックレス１の第２接続環１ｂと接続されるので，帯状チェーン５の捩じれは，ボールチェーン３０の回転作用により回避されることになり，リール４による帯状チェーン５の巻き取りを一層整然と行うことができ，帯状チェーン５の耐久性向上に寄与し得る。
【００３８】
本発明は上記実施形態に限定されるものではなく，その要旨を逸脱しない範囲で種々の設計変更が可能である。例えば，ロックレバー１９の歯部をギヤ１４の谷部の形状に合わせて形成して，プッシュ操作軸２４をプッシュしない限り，リール４の引き出し方向Ｂへの回転をも阻止するようにしてもよい。またロック機構７のギヤ１４をリール４の側面に形成し，それに係合するロックレバー１９を，ケーシング３の側面側から操作するように構成することもできる。また本発明のリング径可変装置は，ブレスレットにも適用可能である。
【符号の説明】
【００３９】
Ａ・・・・・・巻き取り方向
Ｂ・・・・・・引き出し方向
１・・・・・・リング状装身具（ネックレス）
３・・・・・・ケーシング
４・・・・・・リール
５・・・・・・調節紐（帯状チェーン）
６・・・・・・ゼンマイばね
７・・・・・・ロック機構
８・・・・・・ばね収容凹部
１３・・・・・巻き取り溝
【図１】
2013118891.tif 000003
【図２】
2013118891.tif 000004
【図３】
2013118891.tif 000005
【図４】
2013118891.tif 000006
【図５】
2013118891.tif 000007
【図６】
2013118891.tif 000008
【図７】
2013118891.tif 000009